(57)【特許請求の範囲】
【請求項１】
シート給送方向についてのシート給送路の上流側にて給送回転体に分離部材を当接させて分離ニップ部を構成するとともに、下流側にてレジスト回転体にレジスト部材を当接させてレジストニップ部を構成し、給送に係るシートを、前記分離ニップ部を通過させることで他のシートから摩擦分離し、前記レジストニップ部にてシート先端を停止させて斜行を矯正した後、挟持搬送するシート給送装置において、
前記シート給送路のうちの、前記分離ニップ部の上流側から該分離ニップ部を経由して前記レジストニップ部に至る部分の、前記給送回転体側のガイド面を形成する移動可能なガイド部材と、
前記分離部材を前記給送回転体に対して接離可能に支持する支持部材と、
該支持部材を前記給送回転体に向けて付勢して前記分離部材を前記給送回転体に当接させる付勢部材と、
前記支持部材によって回転自在に支持されるとともに、前記給送回転体に対する前記分離部材の当接状態において前記給送回転体に非接触なシート引抜きコロと、
一端部にて揺動自在に支持され、中間部にて前記レジスト部材を保持するとともに、他端部にて前記ガイド部材に連結された移動可能な解除部材と、を備え、
前記ガイド部材は、前記分離ニップ部及び前記レジストニップ部にて給送されるシートをガイドするガイド位置と、前記シート引抜きコロを押下して前記分離部材を前記給送回転体から離間させるとともに前記解除部材を揺動させて前記レジスト部材を前記レジスト回転体から離間させるシート引抜き位置と、をとる、
ことを特徴とするシート給送装置。
【請求項２】
前記シート引抜きコロを、シート給送方向に向かって前記分離部材の左右の位置にそれぞれ配置した、
ことを特徴とする請求項１記載のシート給送装置。
【請求項３】
前記ガイド部材のうちの、少なくとも前記シート引抜きコロに対応する部分を良摺動性部材によって形成した、
ことを特徴とする請求項１又は請求項２記載のシート給送装置。
【請求項４】
前記ガイド部材のうちの、前記シート引抜きコロに対応する部分に良摺動性のシート状部材を張りつけた、
ことを特徴とする請求項１又は請求項２記載のシート給送装置。
【請求項５】
前記ガイド部材のうち、前記給送に係るシートをガイドする部分のうちの一部を、可撓性のガイドシートによって構成した、
ことを特徴とする請求項１ないし請求項４のいずれか１項記載のシート給送装置。
【請求項６】
請求項１ないし請求項５のいずれか記載のシート給送装置と、
該シート給送装置によって給送されたシートに画像を形成する画像形成部と、
画像形成後のシートを搬送するシート搬送装置、とを備えた、
ことを特徴とする画像形成装置。
【発明の詳細な説明】
【０００１】
【発明の属する技術分野】
本発明は、複写機、レーザービームプリンタ、ファクシミリ等に使用されるシート給送装置、及びこれを備えた画像形成装置に関する。
【０００２】
【従来の技術】
図５に、摩擦を利用してシートを分離し給送するシート給送装置を示す。
【０００３】
同図に示すシート給送装置は、シートＰの給送方向（矢印Ｋ方向）についてのシートトレイ２０１のすぐ下流側に分離ニップ部Ｎ１を有し、さらにその下流側にレジストニップ部Ｎ２を有する。
【０００４】
分離ニップ部Ｎ１  は、分離ローラ２０２に対して、下方から分離パッド２０３を当接させることにより構成されている。分離パッド２０３は、揺動中心２０３ａを有し、加圧ばね２０４によって分離ローラ２０２に押し付けられている。
【０００５】
レジストニップ部Ｎ２  は、駆動ローラ２０５に掛け渡されたベルト２０６に、従動コロ２０７を当接させて構成されている。ただし、同図では、ベルト２０６から従動コロ２０７を離間させた状態を図示している。
【０００６】
シートトレイ２０１上に積載した複数枚のシートＰのうち、最上位のシートＰは、分離ローラ２０２の矢印方向の回転によって給送され、分離ニップ部Ｎ１  を通過する際に、摩擦により次のシートから分離されて１枚だけ給送される。このシートＰはさらに、ベルト２０６を停止させた状態のレジストニップ部Ｎ２  にその先端を当接させることで斜行が矯正される。そして、このシートＰは、駆動ローラ２０５を介してベルト２０６を矢印方向に回転させることで、レジストニップ部Ｎ２  にて挟持搬送される。
【０００７】
ここで、シートＰの先端がレジストニップ部Ｎ２  を通過した後にシート詰まりを起こした場合、レジストニップ部Ｎ２  のすぐ下流側に揺動中心となる基端部２０８ａを有する解除レバー（その中間部は二点鎖線で図示）２０８の先端部（同図中、分離ローラ２０２の右方に配置）を矢印Ｋ１  方向に押し下げることにより、従動コロ２０７を矢印Ｋ３  方向に移動させる。これにより、従動コロ２０７をベルト２０６から離間させて挟持していたシートＰを開放し、その後シートＰの後端を矢印Ｋ５  方向に引っ張って、シート詰まりを起こしていたシートＰを除去するようにしている。
【０００８】
しかしながら、上述構成によると、シート詰まりを起こしたシートＰの除去に際し、このシートＰは、レジストニップ部Ｎ２においては開放されるものの、分離ニップ部Ｎ１においては分離ローラ２０２に分離パッド２０３が当接されたままでそのニップ圧が解除されないため、このニップ圧がシートＰを矢印Ｋ５方向に引き抜く際の抵抗となり、シートＰを強く早く引き抜こうとすると破損するおそれがあった。また、シートＰについて、分離パッド２０４側に画像部がある場合、分離パッド２０３によって画像部が擦られて汚される場合があった。
【０００９】
そこで、本発明は、シート詰まりを起こしたシートを、破損することなく簡単に素早く引き抜くことができ、しかも分離部材（分離パッド）によって画像部が汚されることもないシート給送装置、及びこれを備えた画像形成装置を提供することを目的とするものである。
【００１０】
【課題を解決するための手段】
請求項１ないし請求項５は、シート給送装置に係る発明であり、一方、請求項６は、画像形成装置に係る発明である。
【００１１】
そして、請求項１に係る本発明は、シート給送方向についてのシート給送路の上流側にて給送回転体に分離部材を当接させて分離ニップ部を構成するとともに、下流側にてレジスト回転体にレジスト部材を当接させてレジストニップ部を構成し、給送に係るシートを、前記分離ニップ部を通過させることで他のシートから摩擦分離し、前記レジストニップ部にてシート先端を停止させて斜行を矯正した後、挟持搬送するシート給送装置において、前記シート給送路のうちの、前記分離ニップ部の上流側から該分離ニップ部を経由して前記レジストニップ部に至る部分の、前記給送回転体側のガイド面を形成する移動可能なガイド部材と、前記分離部材を前記給送回転体に対して接離可能に支持する支持部材と、該支持部材を前記給送回転体に向けて付勢して前記分離部材を前記給送回転体に当接させる付勢部材と、前記支持部材によって回転自在に支持されるとともに、前記給送回転体に対する前記分離部材の当接状態において前記給送回転体に非接触なシート引抜きコロと、一端部にて揺動自在に支持され、中間部にて前記レジスト部材を保持するとともに、他端部にて前記ガイド部材に連結された移動可能な解除部材と、を備え、前記ガイド部材は、前記分離ニップ部及び前記レジストニップ部にて給送されるシートをガイドするガイド位置と、前記シート引抜きコロを押下して前記分離部材を前記給送回転体から離間させるとともに前記解除部材を揺動させて前記レジスト部材を前記レジスト回転体から離間させるシート引抜き位置と、をとる、ことを特徴とする。
【００１２】
請求項２に係る本発明は、前記シート引抜きコロを、シート給送方向に向かって前記分離部材の左右の位置にそれぞれ配置した、ことを特徴とする。
【００１３】
請求項３に係る本発明は、前記ガイド部材のうちの、少なくとも前記シート引抜きコロに対応する部分を良摺動性部材によって形成した、ことを特徴とする。
請求項４に係る本発明は、前記ガイド部材のうちの、前記シート引抜きコロに対応する部分に良摺動性のシート状部材を張りつけた、ことを特徴とする。
【００１４】
請求項５に係る本発明は、前記ガイド部材のうち、前記給送に係るシートをガイドする部分のうちの一部を、可撓性のガイドシートによって構成した、ことを特徴とする。
【００１５】
一方、請求項６に係る本発明は、前述のいずれか記載のシート給送装置と、該シート給送装置によって給送されたシートに画像を形成する画像形成部と、画像形成後のシートを搬送するシート搬送装置、とを備えた、ことを特徴とする。
【００１６】
〔作用〕
上述構成による主な作用は、次のとおりである。
【００１７】
ガイド部材は、ガイド位置をとった場合、シート給送路のうちの、分離ニップ部の上流側から分離ニップ部を経由してレジストニップ部に至る部分の、給送回転側のガイド面を形成し、シートの給送をガイドする。
【００１８】
一方、ガイド部材は、シートがシート詰まりを起こした場合、シート引抜き位置に移動させると、この移動により、シート引抜きコロを押下げてこのシート引抜きコロと一体の分離部材を給送回転体から離間させる。さらに、上述の移動により、ガイド部材は、解除部材を移動させて、レジスト部材をレジスト回転体から離間させる。すなわち、ガイド部材をシート引抜き位置に移動させると、この移動により、シートを上流側と下流側とでそれぞれ挟持していた分離ニップ部とレジストニップ部がいずれも解除される。したがって、シートを上流側から引き抜くことにより簡単に除去することができる。なお、分離ニップ部を解除する際に、ガイド部材とシート引抜きコロとによってシートを挟持してしまうことになるが、ガイド部材と分離部材とによって挟持する場合と異なり、一方がコロであり、しかも両者の接触面積を小さくすることができるので、シートの引抜き時の抵抗を小さく押えることができる。
【００１９】
【発明の実施の形態】
以下、図面に沿って、本発明の実施の形態について説明する。
【００２０】
図１、図２、図３は、本発明に係るシート給送装置１０を示す。図１は、シート給送方向（矢印Ｋ方向）の縦断面図、また、図２は、分離ローラ１１等を取り除いた状態での上面図、そして、図３は、図１に相当する動作説明図である。
【００２１】
このシート給送装置１０は、例えば、図４に示す画像形成装置の自動原稿送り装置１０２において、シートＳとしての原稿を自動的に供給する給送装置として使用される。
【００２２】
まず、図１、図２を参照して、シート給送装置１０の概略構成を説明する。
【００２３】
シート給送装置１０は、シート給送方向（矢印Ｋ方向）についてのシート給送路の上流側に配置された給送回転体１１と、これに当接されて分離ニップ部Ｎ１  を構成する分離部材１２と、下流側に配置されたレジスト回転体１３と、これに当接されてレジストニップ部Ｎ２  を構成するレジスト部材１４とを備えている。
【００２４】
さらに特徴的な構成として、シート給送路のうちの、上述の分離ニップ部Ｎ１の上流側からこの分離ニップ部Ｎ１を経由して上述のレジストニップ部Ｎ２に至る部分の、給送回転体１１側のガイド面を形成する移動可能なガイド部材１５と、分離部材１２を給送回転体１１に対して接離可能に支持する支持部材１６と、支持部材１６を給送回転体１１に向けて付勢して分離部材１２を給送回転体１１に当接させる付勢部材１７と、支持部材１６によって回転自在に支持されるとともに、給送回転体１１に対する分離部材１２の当接状態において給送回転体１１に非接触なシート引抜きコロ１８と、一端部１９ａにて揺動自在に支持され、中間部にてレジスト部材１４を保持するとともに、他端部１９ｂにてガイド部材１５に連結された移動可能な解除部材１９（図１，図２では二点鎖線で図示）と、を備え、そして、ガイド部材１５が、分離ニップ部Ｎ１及びレジストニップ部Ｎ２にて給送されるシートＳをガイドするガイド位置（図１に示す位置）と、シート引抜きコロ１８を押下して分離部材１２を給送回転体１１から離間させるとともに解除部材１９を介してレジスト部材１４をレジスト回転体１３から離間させるシート引抜き位置（図３に示す位置）とをとるように構成されている。
【００２５】
上述構成のシート給送装置１０の動作の概略は、次のとおりである。
【００２６】
シートＳを給送する場合には、給送に係るシートＳを、分離ニップ部Ｎ１  を通過させることで他のシート（次のシート）Ｓから分離し、レジストニップ部Ｎ２  にてシート先端を停止させて斜行を矯正した後、挟持搬送するものである。そして、シートＳが、分離ニップ部Ｎ１  及びレジストニップ部Ｎ２  に挟持された状態でシート詰まりを発生した場合に、ガイド部材１５を矢印Ａ方向に押下することにより、分離ニップ部Ｎ１  及びレジストニップ部Ｎ２  を離間させて、シートＳの矢印Ｆ方向（図３参照）の引き抜きを容易にすることができる。
【００２７】
以下、図１及び図２を主に、適宜、図３、図４を参照しながら詳述する。
【００２８】
図１に示すシート給送装置１０においては、給送回転体１１として分離ローラを備えている（以下「分離ローラ１１」という）。分離ローラ１１は、不図示の駆動手段によって矢印Ｒ１１方向に回転駆動される。分離ローラ１１の上流側（以下「上流側」、「下流側」とは、シート給送方向についての上流側、下流側をいうものとする。さらに、下流側に向かって左右方向を単に「左右方向」というものとする。）には、積層状態の複数枚のシートＳを積載するシートトレイ２０が配設されている。シートトレイ２０のシート積載面２０ａは、下流側を下げた傾斜面に構成されている。なお、同図に示すシート材Ｓは、下面に画像が形成されている原稿とする。
【００２９】
シートトレイ２０の下流側には、リフタ２１が配設されている。リフタ２１は、基端側の揺動中心２１ａを中心として、先端側が付勢部材（不図示）によって矢印Ｒ２１方向に付勢されている。この付勢により、上述のシートトレイ２０に積載されたシートＳの先端部が、分離ローラ１１の表面に押し付けられる。
【００３０】
リフタ２１のすぐ下流側には、分離部材１２としての分離パッドが配設されている（以下「分離パッド１２」という）。分離パッド１２は、上述の分離ローラ１１表面に対して下方から当接されている。分離パッド１２は、揺動中心１６ａを中心として揺動する支持部材１６に取り付けられており、支持部材１６を上方（矢印Ｃ１  方向）に付勢する加圧ばね１７によって分離ローラ１１表面に押し付けられている。これにより、分離ローラ１１表面と分離パッド１２との間に分離ニップ部Ｎ１  が構成されている。分離パッド１２の左右方向の長さは、分離ローラ１１の左右方向の長さとほぼ同じに設定されている。分離パッド１２の左右両端部の外側には、それぞれ１個ずつ、計２個のシート引抜きコロ１８が配設されている。各シート引抜きコロ１８は、分離パッド１２を支持している支持部材１６によって回動自在に支持されており、分離パッド１２が分離ローラ１１の表面に当接されている状態（通常の給紙状態）においては、分離ローラ１１表面に対して非接触状態となっている。なお、これらシート引抜きコロ１８は、シート詰まり時のシート引抜きように主に使用するものであるが、例えば、薄紙等の剛性のない（コシのない）シートＳを給送する際には、このシートＳにおける分離ニップ部Ｎ１  からはみ出した部分をガイドすることにもなる。
【００３１】
なお、上述の分離ニップ部Ｎ１  においては、分離ローラ１１、分離パッド１２、シートＳにおける各部材間の摩擦係数μ１  、μ２  、μ３  をμ１  ＜μ２  ＜μ３  に設定することにより、シートＳを摩擦分離して重送を防止するようにしている。ここで、μ１  は２枚のシートＳ、Ｓ間の摩擦係数、μ２  は分離パッド１２とシートＳとの間の摩擦係数、μ３  は分離ローラ１１とシートＳとの間の摩擦係数とする。
【００３２】
分離ニップ部Ｎ１  の下流側には、分離ニップ部Ｎ１  通過後のシートＳを下方からガイドするガイドコロ２２が配設されており、さらにその下流側には、レジストニップ部Ｎ２  が構成されている。
【００３３】
レジストニップ部Ｎ２は、駆動プーリ２３、従動プーリ（不図示）、テンションプーリ２４等に掛け渡された搬送ベルト（レジスト回転体）１３にレジストコロ１４を当接させることで構成されている。搬送ベルト１３は、駆動プーリ２３の同図中での時計回り方向の回転によって、矢印Ｒ１３方向に走行するように構成されている。レジストコロ１４は左右方向に長いレジスト軸１４ａによって複数個のものが回動自在に支持されており、レジスト軸１４ａはその左右両端部が、画像形成装置本体１０１（図４参照）の左右のそれぞれの側板２５、２５にそれぞれ形成されたＵ溝２５ａに移動可能に嵌め込まれている。これにより、レジストコロ１４は、図３中の、矢印Ｅ１、Ｅ２方向に移動することが可能であるとともに、加圧ばね２６によって駆動プーリ２３上の搬送ベルト１３に当接されて、レジストニップ部Ｎ２を構成している。つまり、駆動プーリ２３とレジストコロ１４との間に搬送ベルト１３を挟持することで、レジストニップ部Ｎ２が構成されている。
【００３４】
さらに、レジスト軸１４ａは、移動可能なアーム状の解除部材１９によって支持されている。解除部材１９は、その一端部１９ａが、上述のテンションプーリ２４を回動自在に支持しているテンション軸２４ａによって揺動自在に支持されるとともに、その他端部１９ｂが、後述のガイド部材１５に連結されている。なお、テンション軸２４ａは、左右両端の軸受２４ｂを介して左右の側板２５によって支持されている。解除部材１９の他端部１９ｂには、長孔１９ｃが穿設されており、この長孔１９ｃに、ガイド部材１５のボス１５ｃが係合されている。上述のレジスト軸１４ａは、解除部材１９の中間部（一端部１９ａと他端部１９ｂとの間）に固定されている。レジスト軸１４ａに支持されたレジストコロ１４は、テンション軸２４ａを中心にして揺動可能な解除部材１９が図１に示す位置（後述のガイド部材１５のガイド位置に対応）をとったときに搬送ベルト１３に当接してレジストニップ部Ｎ２を構成する一方、図３に示す位置（ガイド部材１５のシート引抜き位置に対応）をとったときに、搬送ベルト１３から離間してレジストニップ部Ｎ２を解除するように構成されている。
【００３５】
ガイド部材１５は、分離ローラ１１の下流側に配置された基端部１５ａを中心として、分離ローラ１１の上流側に配置された先端部１５ｂがほぼ上下方向に揺動可能に構成されている。ガイド部材１５の中央部における左右両端部からはそれぞれ左右方向に上述のボス１５ｃ、１５ｃが突出されており、解除部材１９の他端部１９ｂの長孔１９ｃに係合されている。図１に示すガイド部材１５は、シートＳが給送されるときのガイド位置に配置された状態を示しており、ガイド部材１５の下面のうちの、前述のシート引抜きコロ１８の上方に位置する部分には、摺動性に優れたシート状部材１５ｅが貼着されている。同図の、ガイド部材１５のガイド位置にあっては、シート状部材１５ｅは、分離ニップ部Ｎ１の上方に配置され、また前述のシート引抜きコロ１８は、分離ニップ部Ｎ１の下方に配置されている。すなわち、シートＳの給送時に、分離ニップ部Ｎ１を通過するシートＳは、下方のシート引抜きコロ１８と上方のシート状部材１５ｅとの間を通過することになる。ガイド部材１５は、分離ニップ部Ｎ１の上流側と、レジストニップ部Ｎ２の上流側とに、それぞれシートＳの上面をガイドするガイドシート１５ｆ、１５ｄを有する。なお、ガイド部材１５にシート状部材１５ｅを貼着する代わりに、ガイド部材１５のこの部分を摺動性に優れた部材によって構成するようにしてもよい。
【００３６】
上述の分離ニップ部Ｎ１  の上流側、及び分離ニップ部Ｎ１  とレジストニップ部Ｎ２  との間には、それぞれシート有無センサ２７、レジスト前センサ２８が配設されている。
【００３７】
上述構成のシート給送装置１０は、例えば、図４に示す画像形成装置の原稿自動送り装置１０２において、原稿を給紙するための給送装置として使用される。以下、画像形成装置について簡単に説明する。
【００３８】
同図に示す画像形成装置は、画像形成装置本体１０１と、その上面に装着された原稿自動供給装置（以下「ＡＤＦ」という）１０２とを備えている。
【００３９】
画像形成装置本体１０１は、上面に配置されたプラテンガラス１０３と、プラテンガラス１０３上に載置された原稿の画像を読取るべく光源１０４ａ、複数のミラー１０４ｂ、レンズ１０４ｃ等を有する原稿読取部１０４と、原稿読取部１０４からの出力に応じて記録材としての紙等のシートＳ上に画像形成する画像形成部１０５と、この画像形成部１０５にシートＳを供給するシート供給部１０６と、画像形成後のシートＳを搬送するシート搬送装置１０７と、シートＳ上の未定着画像を定着する定着器１０９と、定着後のシートＳが排出される排紙トレイ（排出部）１１０とを備えている。また、上述の画像形成部１０５は、表面に感光層を有する感光ドラム１０５ａ、感光ドラム１０５ａ表面を均一に帯電する帯電ローラ１０５ｂ、画像読取部１０４からの露光によって形成された静電潜像にトナーを付着させてトナー像として現像する現像器１０５ｃ、この感光ドラム１０５ａ上のトナー像をシートＳに転写する転写装置１０５ｄ等を有する。さらに、上述のシート供給部１０６は、複数枚のシートＳを収納した給紙カセット１０６ａ、このシートＳを給送する給紙ローラ１０６ｂと、本発明に係るシート給送装置１０を記録材としてのシートの給送に使用する給送装置１０Ａとを有する。
【００４０】
一方、ＡＤＦ１０２は、上述のプラテンガラス１０３上に配置されており、本発明に係るシート給送装置１０と、これによってプラテンガラス１０３上の画像読取位置に給送され、さらに画像読取後に排出された原稿を積載する排出トレイ１１１とを備えている。なお、図４に示すＡＤＦ１０２は、原稿を１枚ずつプラテンガラス１０３上にセットしてそれを順次にコピーする場合には、その都度、開閉動作を行うことが必要となる。
【００４１】
上述のように、図４に示す画像形成装置においては、本発明に係るシート給送装置を２箇所に装着している。すなわち、画像形成装置本体１０１に装着されて記録材としてのシートＳを給送するシート給送装置１０Ａと、ＡＤＦ１０２に装着されて原稿としてのシートＳを給送するシート給送装置１０である。
【００４２】
次に、上述構成の画像形成装置の動作を簡単に説明する。
【００４３】
図１に示すように、シートトレイ２０上に積載された複数枚のシート（原稿）Ｓのうちの最上位のシートＳ１を、分離ローラ１１のＲ１１方向の回転により、給送し、分離ニップ部Ｎ１  を通過させて次のシートＳから分離し、シートＳ１の先端を搬送ベルト１３が停止中のレジストニップ部Ｎ２  に突き当てて斜行を矯正する。その後、搬送ベルト１３を矢印Ｒ１３方向に回転させて、シートＳ１を搬送し、プラテンガラス１０３の所定の位置にセットする。画像読取部１０４によってシートＳ１の画像を読み取り、これに基づいて、帯電ローラ１０５ｂによって均一に帯電されている感光ドラム１０５ａ上に静電潜像を形成する。この静電潜像は、現像器１０５ｃによってトナー像として現像される。トナー像は、シート供給部１０６から供給された紙等のシートＳに、転写装置１０５ｄによって転写さる。トナー像転写後のシートＳは、定着器１０９によってトナー像が定着された後、排出トレイ１１０上に排出される。一方、画像が読み取られたプラテンガラス１０３上のシート（原稿）Ｓは、搬送ベルト１３の回転によって排紙トレイ１１１上に排出される。以下、同様の画像形成動作を繰り返して、複数枚のシートＳに対応する画像を次々と形成していく。
【００４４】
上述の画像形成動作中に、シート給送装置１０、１０Ａにおいて、給送中のシートＳが分離ニップ部Ｎ１  やレジストニップ部Ｎ２  に挟持された状態でシート詰まりを起こした場合、これらのシートＳを図４中の、矢印Ｆ方向や矢印Ｍ方向に引き抜いてジャム処理を行う必要がある。このとき、分離ニップ部Ｎ１  やレジストニップ部Ｎ２  を解除して、シートＳの引抜きを容易にする。以下、原稿としてのシートＳを給送する、シート給送装置１０について、その解除動作を説明する。
【００４５】
シートトレイ２０上に積載されたシートＳは、シート有無センサ２７で検知され、リフタ２１が図１の実線の位置に上昇し、シートＳの先端部が分離ローラ１１表面に押し付けられる。分離ローラ１１が矢印Ｒ１１方向に回転することで、最上位のシートＳ１は、最分離パッド１２との間で摩擦分離され分離ニップ部Ｎ１  を通過する。
【００４６】
分離ニップ部Ｎ１  を通過したシートＳ１の先端がレジスト前センサ２８に達し、さらにレジストニップ部Ｎ２  に到達すると、所定時間後に分離ローラ１１が停止する。そして、分離ニップ部Ｎ１  とレジストニップ部Ｎ２  との間において、シートＳ１の先端部にループが形成され、シートＳ１の先端位置補正が行われる。その後、駆動プーリ２３を介して搬送ベルト１３が矢印Ｒ１３方向に回転され、シートＳ１がプラテンガラス１０３上に搬送される。
【００４７】
この際、何らかのトラブルで、シートＳ１が図３に示す位置で停止してしまった場合、画像形成装置を正常な状態に復帰させるためには、シートＳ１を矢印Ｆ方向に引き抜いて除去する必要がある。この場合、シートＳ１の除去を円滑に行うべく、シートＳ１を上流側と下流側とでそれぞれ挟持している分離ニップ部Ｎ１とレジストニップ部Ｎ２とを解除する。つまり、分離パッド１２を分離ローラ１１から離間させ、またレジストコロ１４を搬送ベルト１３から離間させるようにする。まず、ガイド部材１５の先端部１５ｂを矢印Ａ方向に押し下げて、基端部１５ａを中心に矢印Ｂ方向に揺動させる。これにより、ガイド部材１５のシート状部材１５ｅがシートＳ１を介してシート引抜きコロ１８を矢印Ｃ２方向に押し下げる。これにより、支持部材１６が加圧ばね１７の抗力に抗して矢印Ｃ２方向に押し下げられ、分離パッド１２が分離ローラ１１表面から離間される。このとき、シートＳ１は、分離ニップ部Ｎ１による挟持が解除される一方、分離パッド１２の左右両側において、シート引抜きコロ１８と摺動性に優れたシート状部材１５ｅとの間に挟持される。
【００４８】
さらに、ガイド部材１５の矢印Ｂ方向に移動により、解除部材１９の他端部１９ｂに係合されているボス１５ｃを介して、解除部材１９が、テンション軸２４ａを中心にして矢印Ｄ方向に回転される。これにより、レジストコロ１４が矢印Ｅ１方向に移動され、搬送ベルト１３から離間されてレジストニップ部Ｎ２が解除される。
【００４９】
上述の分離ニップ部Ｎ１  及びレジストニップ部Ｎ２  の解除は、ガイド部材１５の矢印Ａ方向の押下するといった一挙動のみで行うことができる。すなわち、ガイド部材１５は、直接的に分離ニップ部Ｎ１  を解除するとともに、ガイド部材１５の動きに連動する解除部材１９を介してレジストニップ部Ｎ２  を解除する。
【００５０】
分離ニップ部Ｎ１  及びレジストニップ部Ｎ２  から開放されたシートＳ１は、シート引抜きコロ１８と、摺動性に優れたシート状部材１５ｅとによって２箇所で挟持されているのみであるので、このシートＳ１を矢印Ｄ方向に引っ張れば、小さな力で簡単に引き抜くことができる。
【００５１】
上述構成のシート給送装置１０においては、ガイド部材１５は、シートＳの給送をガイドするばかりでなく、分離パッド１２を分離ローラ１１から離間させる部材及び解除部材１９を移動させる部材をも兼ねているため、その分構成を簡略化することができる。
【００５２】
なお、上述のシートＳ１の除去作業は、ＡＤＦ１０２を閉じた状態（プラテンガラス１０３上に配置したままの状態）で行うことが可能である。
【００５３】
【発明の効果】
以上説明したように、本発明によると、シート詰まりを起こしたシートを、破損することなく簡単に素早く引き抜くことができ、しかもシートに画像が形成されている場合、分離部材（分離パッド）によって画像部が汚されることもない。
【００５４】
また、ガイド部材を移動させるだけで、分離ニップ部及びレジストニップ部の双方を解除することができるため、その動作が簡単である。
【００５５】
さらに、ガイド部材１５が、分離部材を給送回転体（分離ローラ）から離間させて分離ニップ部を解除させる部材と、解除部材を介してレジスト部材（レジストストコロ）をレジスト回転体（搬送ベルト）から離間させてレジストニップ部を解除させる部材とを兼ねているので、その分、構成の簡素化を図ることができる。
【図面の簡単な説明】
【図１】本発明に係るシート給送装置の構成を示す縦断面図。
【図２】本発明に係るシート給送装置における、一部の部品を取り除いた状態での上面図。
【図３】本発明に係るシート給送装置の動作説明図。
【図４】本発明に係るシート給送装置を備えた画像形成装置の概略構成図。
【図５】従来のシート給送装置の構成を示す縦断面図。
【符号の説明】
１０、１０Ａシート給送装置
１１        給送回転体（分離ローラ）
１２        分離部材（分離パッド）
１３        レジスト回転体（搬送ローラ）
１４        レジスト部材（レジストコロ）
１５        ガイド部材
１５ｅ      良摺動性部材、シート状部材
１５ｄ、１５ｆガイドシート
１６        支持部材
１７        付勢部材（加圧ばね）
１８        シート引抜きコロ
１９        解除部材
１０１      画像形成装置本体
１０２      自動原稿送り装置（ＡＤＦ）
１０７      シート搬送装置
Ｎ１          分離ニップ部
Ｎ２          レジストニップ部
Ｓ          シート（原稿、記録材）
Ｓ１        最上位のシート
【図１】
0003554108.tif 000002
【図２】
0003554108.tif 000003
【図３】
0003554108.tif 000004
【図４】
0003554108.tif 000005
【図５】
0003554108.tif 000006